(57)【要約】【課題】Ｌｏｃａｌｉｚｅｄ型送信と、Ｄｉｓｔｒｉｂｕｔｅｄ型送信とをサポートでき、Ｄｉｓｔｒｉｂｕｔｅｄ型送信を行うリソースブロックの数が、Ｄｉｓｔｒｉｂｕｔｅｄ型送信を行うリソースブロックの分割数の整数倍でない場合にも、シグナリングビットを増加させずに通知できる送信装置を提供する。【解決手段】リソースブロックおよび分散型リソースブロックを割り当てる送信装置に、分散型リソースブロックには、その割り当て単位数に対応して、各リソースブロックに対して分割数で分割された分散型リソースブロックの位置と識別番号が指定され、分散型リソースブロックの位置に基づいて、ユーザに割り当てる分散型リソースブロックを決定する手段と、割り当てに応じて、周波数ブロックおよび分散型周波数ブロックの一方へ送信データの割り当てる手段と、識別番号に基づいて、移動局に対する制御情報を生成する手段とを備えることにより達成される。【選択図】図４
2008053857.tif 000002
【特許請求の範囲】
【請求項１】
各ユーザに対して、システム帯域幅を連続する周波数サブキャリアのブロックに分割したリソースブロックおよびシステム帯域幅内に離散的に分散した周波数サブキャリアからなり、前記リソースブロックを複数に分割して構成される分散型リソースブロックのうちの一方を割り当て、
前記リソースブロックを単位として割り当てられる前記分散型リソースブロックには、その割り当て単位数に対応して、各リソースブロックに対して予め決定された分割数で分割された分散型リソースブロックの位置と識別番号が指定され、
指定された前記分散型リソースブロックの位置に基づいて、ユーザに割り当てる分散型リソースブロックを決定する周波数スケジューリング手段；
前記割り当てに応じて、前記周波数ブロックおよび分散型周波数ブロックのうちの一方へ送信データの割り当てを行うマッピング手段；
前記識別番号に基づいて、前記リソースブロックおよび分散型リソースブロックのうちの一方が割り当てられた移動局に対する制御情報を生成する制御情報生成手段；
を備えることを特徴とする送信装置。
【請求項２】
請求項１に記載の送信装置において：
前記分散型リソースブロックの位置と識別番号は、同一基地局にカバーされるエリアを複数に分割したセクタ毎に異なることを特徴とする送信装置。
【請求項３】
請求項１または２に記載の送信装置において：
前記分散型リソースブロックは、各リソースブロックを２および３に分割したものであることを特徴とする送信装置。
【請求項４】
請求項１ないし３のいずれか１項に記載の送信装置において：
同じリソースブロックに属する分散型リソースブロックには連続した識別番号が付与されることを特徴とする送信装置。
【請求項５】
請求項１ないし４のいずれか１項に記載の送信装置において：
前記制御情報生成手段は、移動局のＩＤと、該移動局に割り当てられるリソースブロックまたは分散型リソースブロックを示す情報と、前記分散型リソースブロックの割り当て情報からなる制御情報を作成することを特徴とする送信装置。
【請求項６】
請求項５に記載の送信装置において：
前記制御情報生成手段は、前記分散型リソースブロックの割り当て情報として、同じリソースブロックに属する分散型リソースブロックには連続した識別番号が付与される場合に、ツリー  ベースド  リソース  アロケーションを適用することにより求められる値を生成することを特徴とする送信装置。
【請求項７】
各ユーザに対して、システム帯域幅を連続する周波数サブキャリアのブロックに分割したリソースブロックおよびシステム帯域幅内に離散的に分散した周波数サブキャリアからなり、前記リソースブロックを複数に分割して構成される分散型リソースブロックのうちの一方を割り当て、
予め決定された前記分散型リソースブロックとして使用されるリソースブロックの数およびそのリソースブロック内に生成される分散型リソースブロック数に応じて、前記分散型リソースブロックとして使用されるリソースブロックの位置および分散型リソースブロックの識別番号が指定され、
ユーザに割り当てる分散型リソースブロックを決定する周波数スケジューリング手段；
前記割り当てに応じて、前記周波数ブロックおよび分散型周波数ブロックのうちの一方へ送信データの割り当てを行うマッピング手段；
前記識別番号に基づいて、前記リソースブロックおよび分散型リソースブロックのうちの一方が割り当てられた移動局に対する制御情報を生成する制御情報生成手段；
を備えることを特徴とする送信装置。
【請求項８】
請求項７に記載の送信装置において：
前記リソースブロック内に生成される分散型リソースブロック数は、前記分散型リソースブロックとして使用されるリソースブロックの数以上であることを特徴とする送信装置。
【請求項９】
請求項７または８に記載の送信装置において：
前記制御情報生成手段は、移動局のＩＤと、前記分散型リソースブロックとして使用されるリソースブロックの数と、そのリソースブロック内に生成される分散型リソースブロック数と、前記分散型リソースブロックの割り当て情報からなる制御情報を作成することを特徴とする送信装置。
【請求項１０】
請求項９に記載の送信装置において：
前記制御情報生成手段は、前記分散型リソースブロックの割り当て情報として、同じリソースブロックに属する分散型リソースブロックには連続した識別番号が付与される場合に、ツリー  ベースド  リソース  アロケーションを適用することにより求められる値を生成することを特徴とする送信装置。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に送信装置に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている。
【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の送信機の構成を比較的簡素にできる。
【０００５】
また、下りリンクデータチャネルにおける送信方法には、ローカライズド（Ｌｏｃａｌｉｚｅｄ）型送信と、ディストリビューティド（Ｄｉｓｔｒｉｂｕｔｅｄ）型送信とがある。
【０００６】
Ｌｏｃａｌｉｚｅｄ型送信では、図１Ａに示すように、各ユーザに対して、周波数ブロックを単位として割り当てられる。例えば、Ｌｏｃａｌｉｚｅｄ型送信では、周波数選択性フェージングがよい周波数ブロックが割り当てられる。Ｌｏｃａｌｉｚｅｄ型送信は、一般に、送信データサイズが大きく、周波数スケジューリング効果を狙う場合に有効な送信方法である。
【０００７】
Ｄｉｓｔｒｉｂｕｔｅｄ型送信では、図１Ｂに示すように、周波数ブロックにこだわらず割り当てられた帯域全体に分散させてデータの送信が行われる。例えば、Ｄｉｓｔｒｉｂｕｔｅｄ型送信は、高速移動時における周波数スケジューリングができない状態、ＶｏＩＰなど送信データが小さい場合に使用される。Ｄｉｓｔｒｉｂｕｔｅｄ型送信は、一般に、送信データサイズが小さく、周波数ダイバーシチ効果を狙う場合に有利な送信方法である。
【０００８】
ＬＴＥでは、１つのシステムで、低速移動時から高速移動時までの通信およびデータサイズの大きいＷｅｂブラウジングのようなパケットからデータサイズの小さいＶｏＩＰなどのパケットをサポートする必要がある。
【０００９】
そこで、１つのシステムで、Ｌｏｃａｌｉｚｅｄ型送信と、Ｄｉｓｔｒｉｂｕｔｅｄ型送信とをサポートするために、リソースブロックレベルで，Ｄｉｓｔｒｉｂｕｔｅｄ送信を行う場合に、１つのリソースブロックを複数に分割した分割ブロックをリソースブロックとして割り当てる通信装置が示されている。
【００１０】
この通信装置は、リソースブロックを割り当てた移動局に対する制御情報を作成する。例えば、システム帯域、すなわち、割り当てられた帯域を複数に分割して形成された複数のリソースブロックに対して、その物理的な位置を示す識別符号、例えば識別番号が割り当てられる。
【００１１】
ここでは、複数のリソースブロックのうち、Ｄｉｓｔｒｉｂｕｔｅｄ型送信を行うリソースブロックの分割数と、その分割された分割リソースブロックの移動局への割り当て単位とを等しい値とし、これをＮＤとする（ＮＤは、ＮＤ＞０の整数）。図２Ａには、ＮＤ＝２について示される。図２Ａによれば、ＮＤ＝２である場合、Ｄｉｓｔｒｉｂｕｔｅｄ型送信を行うリソースブロックは２分割され、２個の分割リソースブロック、すなわち分割リソースブロックのペアが移動局への割り当て単位となる。この場合、Ｄｉｓｔｒｉｂｕｔｅｄ型送信を行うリソースブロックの物理的な位置は、Ｄｉｓｔｒｉｂｕｔｅｄ型送信を行うリソースブロックの数に応じて予め決定される。
【００１２】
割り当て情報を送信するための具体的なシグナリングのフォーマットは、図２Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、各リソースブロック、すなわちＬｏｃａｌｉｚｅｄ型送信を行うリソースブロックとＤｉｓｔｒｉｂｕｔｅｄ型送信を行うリソースブロックに対する割り当て情報の各フィールドから構成される。各リソースブロックに対する割り当て情報のフィールドには、リソースブロックに対応するサブフィールドが用意され、各サブフィールドに割り当ての有無を示す情報が付与される。この各リソースブロックに対する割り当て情報の指定方法をビットマップと呼ぶ。基地局は、このような割り当て情報を構成する制御ビットを、Ｌｏｃａｌｉｚｅｄ型送信と、Ｄｉｓｔｒｉｂｕｔｅｄ型送信を行うように割り当てた移動局数分送信する。
【非特許文献１】3GPP, R1-061896, Motorola, June 2006
【非特許文献２】3GPP, R1-061308, NEC, “Resource Allocation Signaling for E-UTRA,”May 2006.
【発明の開示】
【発明が解決しようとする課題】
【００１３】
しかしながら、上述した背景技術には以下の問題がある。
【００１４】
上述した通信装置では、必要なＤｉｓｔｒｉｂｕｔｅｄ型送信を行うリソースブロックの数が、Ｄｉｓｔｒｉｂｕｔｅｄ型送信を行うリソースブロックの分割数ＮＤの整数倍でない場合には、余計なＤｉｓｔｒｉｂｕｔｅｄ型送信を行うリソースブロック、すなわち移動局の割り当てが行われないＤｉｓｔｒｉｂｕｔｅｄ型送信を行うリソースブロックが生成される問題がある。
【００１５】
すなわち、Ｄｉｓｔｒｉｂｕｔｅｄ型送信を行うユーザに対して必要な分割リソースブロックのペアの数が、ＮＤ、すなわちＤｉｓｔｒｉｂｕｔｅｄ型送信を行うリソースブロックの分割数の整数倍以外の場合には余り、すなわち割り当てが行われないまたはＤｉｓｔｒｉｂｕｔｅｄ型送信を行う必要のないユーザに割り当てられる分割リソースブロックが形成される。
【００１６】
この問題に対し、Ｄｉｓｔｒｉｂｕｔｅｄ型送信を行うリソースブロックの数とＤｉｓｔｒｉｂｕｔｅｄ型送信を行うリソースブロックの分割数とを等しい値ＮＤとし、このＮＤを可変とし通知することが提案されている（例えば、非特許文献１参照）。
【００１７】
図３Ａには、Ｄｉｓｔｒｉｂｕｔｅｄ型送信を行うリソースブロックの数とＤｉｓｔｒｉｂｕｔｅｄ型送信を行うリソースブロックの分割数が３の場合について示される。この場合、Ｄｉｓｔｒｉｂｕｔｅｄ型送信を行うリソースブロックの物理的な位置は、Ｄｉｓｔｒｉｂｕｔｅｄ型送信を行うリソースブロックの数に応じて予め決定される。
【００１８】
この場合、具体的なシグナリングのフォーマットは、図３Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、各リソースブロックに対する割り当て情報の各フィールドに加え、ＮＤを通知するためのフィールドが追加される。
【００１９】
この提案では、Ｄｉｓｔｒｉｂｕｔｅｄ型送信を行うリソースブロックの物理的な位置は、Ｄｉｓｔｒｉｂｕｔｅｄ型送信を行うリソースブロックの数に応じて予め決定されるため、Ｄｉｓｔｒｉｂｕｔｅｄ型送信を行うリソースブロックの数に応じて、Ｄｉｓｔｒｉｂｕｔｅｄ型送信を行うリソースブロックの物理的な位置が異なる。
【００２０】
また、Ｄｉｓｔｒｉｂｕｔｅｄ型送信を行う移動局が、自局に割り当てられたＤｉｓｔｒｉｂｕｔｅｄ型送信を行うリソースブロックのマッピング位置、すなわち復調すべきシンボル位置を知るために、Ｄｉｓｔｒｉｂｕｔｅｄ型送信を行うリソースブロックの数（＝Ｄｉｓｔｒｉｂｕｔｅｄ型送信を行うリソースブロックの分割数）ＮＤを通知する必要があり、シグナリングビットが増加する問題がある。
【００２１】
そこで、本発明は、上述した問題を解決するためになされたものであり、１つのシステムで、Ｌｏｃａｌｉｚｅｄ型送信と、Ｄｉｓｔｒｉｂｕｔｅｄ型送信とをサポートでき、Ｄｉｓｔｒｉｂｕｔｅｄ型送信を行うリソースブロックの数が、Ｄｉｓｔｒｉｂｕｔｅｄ型送信を行うリソースブロックの分割数の整数倍でない場合にも、シグナリングビットを増加させずに通知できる送信装置を提供することにある。
【課題を解決するための手段】
【００２２】
上記課題を解決するため、本発明の送信装置は、
各ユーザに対して、システム帯域幅を連続する周波数サブキャリアのブロックに分割したリソースブロックおよびシステム帯域幅内に離散的に分散した周波数サブキャリアからなり、前記リソースブロックを複数に分割して構成される分散型リソースブロックのうちの一方を割り当て、
前記リソースブロックを単位として割り当てられる前記分散型リソースブロックには、その割り当て単位数に対応して、各リソースブロックに対して予め決定された分割数で分割された分散型リソースブロックの位置と識別番号が指定され、
指定された前記分散型リソースブロックの位置に基づいて、ユーザに割り当てる分散型リソースブロックを決定する周波数スケジューリング手段；
前記割り当てに応じて、前記周波数ブロックおよび分散型周波数ブロックのうちの一方へ送信データの割り当てを行うマッピング手段；
前記識別番号に基づいて、前記リソースブロックおよび分散型リソースブロックのうちの一方が割り当てられた移動局に対する制御情報を生成する制御情報生成手段；
を備えることを特徴の１つとする。
【００２３】
このように構成することにより、各リソースブロックに対して予め決定された分割数で分割された分散型リソースブロックの位置と識別番号に基づいて、Ｄｉｓｔｒｉｂｕｔｅｄ型送信を行うリソースブロックの数が、Ｄｉｓｔｒｉｂｕｔｅｄ型送信を行うリソースブロックの分割数の整数倍でない場合にも、過不足なくＤｉｓｔｒｉｂｕｔｅｄ型送信を行うリソースブロックの生成ができ、分散型リソースブロック数を通知するシグナリングビットを増加なしに各ユーザに送信データのマッピング位置を通知できる。
【００２４】
本発明にかかる他の送信装置は、
各ユーザに対して、システム帯域幅を連続する周波数サブキャリアのブロックに分割したリソースブロックおよびシステム帯域幅内に離散的に分散した周波数サブキャリアからなり、前記リソースブロックを複数に分割して構成される分散型リソースブロックのうちの一方を割り当て、
予め決定された前記分散型リソースブロックとして使用されるリソースブロックの数およびそのリソースブロック内に生成される分散型リソースブロック数に応じて、前記分散型リソースブロックとして使用されるリソースブロックの位置および分散型リソースブロックの識別番号が指定され、
ユーザに割り当てる分散型リソースブロックを決定する周波数スケジューリング手段；
前記割り当てに応じて、前記周波数ブロックおよび分散型周波数ブロックのうちの一方へ送信データの割り当てを行うマッピング手段；
前記識別番号に基づいて、前記リソースブロックおよび分散型リソースブロックのうちの一方が割り当てられた移動局に対する制御情報を生成する制御情報生成手段；
を備えることを特徴の１つとする。
【００２５】
このように構成することにより、予め決定された前記分散型リソースブロックとして使用されるリソースブロックの数およびそのリソースブロック内に生成される分散型リソースブロック数に応じて、ユーザに割り当てる分散型リソースブロックを決定することができる。
【発明の効果】
【００２６】
本発明の実施例によれば、１つのシステムで、Ｌｏｃａｌｉｚｅｄ型送信と、Ｄｉｓｔｒｉｂｕｔｅｄ型送信とをサポートでき、Ｄｉｓｔｒｉｂｕｔｅｄ型送信を行うリソースブロックの数が、Ｄｉｓｔｒｉｂｕｔｅｄ型送信を行うリソースブロックの分割数の整数倍でない場合にも、過不足なくＤｉｓｔｒｉｂｕｔｅｄ型送信を行うリソースブロックの生成ができ、分散型リソースブロック数を通知するシグナリングビットを増加なしに各ユーザに送信データのマッピング位置を通知できる送信装置を実現できる。
【発明を実施するための最良の形態】
【００２７】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２８】
本発明の実施例にかかる送信装置について、図４を参照して説明する。
【００２９】
本実施例にかかる送信装置１００は、Ｌｏｃａｌｉｚｅｄ型送信の範疇で、Ｄｉｓｔｒｉｂｕｔｅｄ型送信を行う。送信装置１００は、例えば基地局に備えられる。すなわち、Ｌｏｃａｌｉｚｅｄ型送信を行うリソースブロックが複数に分割され、該分割されたリソースブロック（分割リソースブロック）が、Ｄｉｓｔｒｉｂｕｔｅｄ型送信を行うユーザに割り当てられる。
【００３０】
送信装置１００は、各移動局（ＵＥ）のモビリティを示す情報と、各移動局のトラフィックを示す情報、例えばサイズ、種類とが入力されるリソースブロック（ＲＢ）割り当て比率の切り替え部１０２と、各移動局の伝搬路情報、例えば下りリンクの伝搬路状況と、各移動局の優先度情報と、リソースブロック割り当て比率の切り替え部１０２の出力信号が入力される周波数スケジューリング部１０４と、周波数スケジューリング部１０４の出力信号がそれぞれ入力される制御情報生成部１０６および送信データ生成部１１２と、制御情報生成部１０６および送信データ生成部１１２の出力信号がそれぞれ入力される符号化率、データ変調決定部１０８および１１４と、符号化率、データ変調決定部１０８の出力信号が入力され、制御情報を出力するマッピング部１１０と、符号化率、データ変調決定部１１４の出力信号と、データとが入力され、データを出力するマッピング部１１６とを備える。
【００３１】
リソースブロック割り当て比率の切り替え部１０２は、各移動局のモビリティを示す情報と、トラヒック情報などとに基づいて、Ｌｏｃａｌｉｚｅｄ型送信を行う移動局、Ｄｉｓｔｒｉｂｕｔｅｄ型送信を行う移動局を決定し、Ｌｏｃａｌｉｚｅｄ型送信を行う移動局、Ｄｉｓｔｒｉｂｕｔｅｄ型送信を行う移動局に対し、それぞれどのような比率で、リソースブロックを配分するかを決定し、求めた値をリソースブロック割り当て比率情報として周波数スケジューリング部１０４に入力する。
【００３２】
リソースブロック割り当て比率の切り替え部１０２は、例えば高モビリティの移動局や、ＶｏＩＰのようなデータ量の小さいトラヒックを送信する移動局を、Ｄｉｓｔｒｉｂｕｔｅｄ型送信を行う移動局に決定する。また、リソースブロック割り当て比率の切り替え部１０２は、リソースブロックの割り当て比率の決定を、例えば高モビリティの移動局が多い場合や、ＶｏＩＰのようなデータ量の小さいトラヒックを送信する移動局が多い場合は、Ｄｉｓｔｒｉｂｕｔｅｄ型を割り当てるリソースブロックの比率を大きくする。
【００３３】
周波数スケジューリング部１０４は、入力された各移動局の伝搬路を示す情報と、各移動局の優先度を示す情報と、リソースブロック割り当て比率情報に基づいて、各移動局へのリソースブロックの割り当てを行う。ここで、優先度情報とは、例えば、再送要求の有無、送信端末からパケットが送出されてからの経過時間、目標伝送レート、実現できているスループット、パケット転送における許容遅延などのような項目を考慮して移動局毎に数値化された情報である。
【００３４】
例えば、周波数スケジューリング部１０４は、所定の周期、例えばスケジューリングの周期毎に、各移動局の状態、例えばチャネル状態、トラヒックに応じて決定されたリソースブロック割り当て比率情報に基づいて、Ｌｏｃａｌｉｚｅｄ型送信を行うリソースブロックとＤｉｓｔｒｉｂｕｔｅｄ型送信を行うリソースブロックの割り当ての比率を適応的に切り替える。このようにすることにより、データチャネルのスループットを増大させることができる。
【００３５】
また、周波数スケジューリング部１０４は、長周期で、各移動局の状態、例えばトラヒックに応じて決定されたリソースブロック割り当て比率情報に基づいて、Ｌｏｃａｌｉｚｅｄ型送信を行うリソースブロックとＤｉｓｔｒｉｂｕｔｅｄ型送信を行うリソースブロックの割り当ての比率を切り替えるようにしてもよい。このようにすることにより、スケジューリングの周期毎に切り替えを行う場合と比較して制御が容易である。また、Ｄｉｓｔｒｉｂｕｔｅｄ型送信を行う移動局へのリソースブロック割り当て数を通知する制御ビット数も削減できる。
【００３６】
例えば、周波数スケジューリング部１０４は、図５に示すように、Ｌｏｃａｌｉｚｅｄ型送信を行うデータとＤｉｓｔｒｉｂｕｔｅｄ型送信を行うデータとをリソースブロックを割り当て単位として割り当てる。すなわち、周波数スケジューリング部１０４は、各ユーザに対してシステム帯域幅を連続する周波数サブキャリアのブロックに分割したリソースブロックを割り当て単位として、システム帯域幅内に離散的に分散した周波数サブキャリアからなり、リソースブロックを複数に分割して構成される分散型周波数ブロックを割り当てる。
【００３７】
周波数スケジューリング部１０４は、リソースブロックレベルでＤｉｓｔｒｉｂｕｔｅｄ型送信を行う場合に、１つのリソースブロックを複数に分割、例えばＮ分割（Ｎは、Ｎ＞０の整数）する。すなわち、周波数スケジューリング部１０４は、分散型リソースブロックを、Ｄｉｓｔｒｉｂｕｔｅｄ型送信を行うユーザに対するリソースブロックとして割り当てる。ここで、リソースブロックとは、ユーザをマッピングする単位、例えばあるユーザを割り当てる単位でもある。
【００３８】
例えば、周波数スケジューリング部１０４は、図６Ａに示すように、１つのリソースブロックを時間方向に複数に分割、例えば２分割し、Ｄｉｓｔｒｉｂｕｔｅｄ型送信を行う各移動局、例えば２ユーザにＤｉｓｔｒｉｂｕｔｅｄ型送信を行うユーザに対するリソースブロックを割り当てる。例えば、図６Ａに示すように、周波数スケジューリング部１０４は、第１ブロックと第２にブロックとを異なるユーザに割り当てる。
【００３９】
また例えば、周波数スケジューリング部１０４は、図６Ｂに示すように、１つのリソースブロックを周波数方向に複数に分割、例えば２分割し、各移動局、例えば２ユーザにリソースブロックを割り当てるようにしてもよい。例えば、図６Ｂに示すように、周波数スケジューリング部１０４は、第１ブロックと第２にブロックとを異なるユーザに割り当てる。
【００４０】
図６Ａおよび図６Ｂにおいて、先頭の２シンボルはパイロットとシグナリングビット、すなわちパイロットチャネルとＬ１／Ｌ２制御チャネルとなる。
【００４１】
リソースブロックレベルのＤｉｓｔｒｉｂｕｔｅｄ型送信では、複数のリソースブロックを割り当てないと周波数ダイバーシチ効果が得られない。ＶｏＩＰのようにデータ量の小さいトラヒックでは、１リソースブロックに全てのデータが収まってしまい、周波数ダイバーシチ効果が得られない。ＶｏＩＰでは、例えば１８０ビットが１パケットのデータ量になる。このように、リソースブロックをＮ分割することによって、もともと１つのリソースブロックに収まってしまうパケットを、Ｎ個の分散型リソースブロックに分散して割り当てることができるので、周波数ダイバーシチ効果を増大させることができる。
【００４２】
制御情報生成部１０６は、周波数スケジューリング部１０４においてリソースブロックを割り当てた移動局に対応する制御情報を作成する。
【００４３】
符号化率、データ変調決定部１０８は、制御情報を送信する場合に使用する符号化率、データ変調の値を決定する。
【００４４】
マッピング部１１０は、符号化率、データ変調決定部１０８において決定されたデータ変調および符号化を行い、物理チャネルにマッピングを行う。その結果、制御情報が送信される。
【００４５】
送信データ生成部１１２は、各移動局に割り当てられたリソースブロック数に応じて、送信データを作成する。例えば、送信データ生成部１１２は、送信データ量を決定する。
【００４６】
符号化率、データ変調決定部１１４は、周波数スケジューリング部１０４で割り当てられた各移動局のデータ、制御情報に対し、それぞれ符号化率、データ変調の値を決定する。
【００４７】
マッピング部１１６は、データ変調、および符号化を行い、物理チャネルにマッピングを行う。
【００４８】
次に、上述した周波数スケジューリング部１０４の動作の具体例について説明する。
【００４９】
上述したように、システム帯域が複数に分割され、各分割された帯域をリソースブロックと呼ぶ。本実施例では、割り当てられた帯域を分割して得られるリソースブロックの数をＮＰＲＢ個とする（ＮＰＲＢは、ＮＰＲＢ＞１の整数）。各リソースブロックには、各リソースブロック識別するための識別符号、例えば識別番号が割り当てられる。
【００５０】
本実施例では、一例として、割り当てられた帯域が１２個に分割され（ＮＰＲＢ＝１２）、１２個のリソースブロックに対して、各リソースブロックの物理的な位置を示す識別番号として、０から１１の番号が割り当てられる場合について説明するが、分割数が１２よりも少ない場合及び多い場合にも適用できる。
【００５１】
本実施例にかかる送信装置１００では、リソースブロックの分割数ＮＤを複数用意する（ＮＤは、ＮＤ＞０の整数）。例えば、リソースブロックの分割数ＮＤは、ＮＤ＝２または３に固定される。すなわち、２または３個のリソースブロックから２または３個のＤｉｓｔｒｉｂｕｔｅｄ型送信を行う分割リソースブロック（分散型リソースブロック）が生成される。
【００５２】
本実施例では、Ｄｉｓｔｒｉｂｕｔｅｄ型送信を行うリソースブロックの分割パタンが予め決定される。例えば、図７に示すように、１つの物理リソースブロックからＤｉｓｔｒｉｂｕｔｅｄ型送信を行う２個の分散型リソースブロックが生成されるパタンと、１つの物理リソースブロックからＤｉｓｔｒｉｂｕｔｅｄ型送信を行う３個の分散型リソースブロックが生成されるパタンとを周波数方向において混在させる。
【００５３】
各分散型リソースブロックには、識別番号が付与される。ここで、同じ物理リソースブロックに属する分割リソースブロックには連続した識別番号が付与される。同じ識別番号が付された分割リソースブロックは同じユーザに割り当てられる。
【００５４】
また、Ｄｉｓｔｒｉｂｕｔｅｄ型送信を行うユーザに対して必要な分割リソースブロックの割り当て単位数（本実施例では、１リソースブロック）に応じて、図７に示す分散型リソースブロックからなるリソースブロックの内の少なくとも一部が割り当てられる。言い換えれば、リソースブロックを、Ｄｉｓｔｒｉｂｕｔｅｄ型送信を行うユーザに対して必要な分散型リソースブロックの割り当て単位数に応じて、図７に示す分散型リソースブロックからなるリソースブロックに、少なくとも一部を置き換える。例えば、２個のリソースブロックから２個のＤｉｓｔｒｉｂｕｔｅｄ型送信を行う分散型リソースブロックが生成される場合、分散型リソースブロックの割り当て単位は２となる。また、３個のリソースブロックから３個のＤｉｓｔｒｉｂｕｔｅｄ型送信を行う分散型リソースブロックが生成される場合、分散型リソースブロックの割り当て単位は３となる。  図８に示すように、Ｄｉｓｔｒｉｂｕｔｅｄ型送信を行うユーザに対して必要な分散型リソースブロックの割り当て単位（ＮＤＶＲＢ）に対応して（ＮＤＶＲＢは、ＮＤＶＲＢ＞１の整数）、分散型リソースブロックに置き換える識別番号が指定される。その結果、割り当て単位数に対応して、各リソースブロックに対して予め決定された分割数で分割された分散型リソースブロックの位置と識別番号が指定される。
【００５５】
例えば、７個、すなわち分散型リソースブロックの割り当て単位が７である場合、図８には、３から９の分散型リソースブロックの識別番号が指定されている。したがって、図９に示されるように、リソースブロックの識別番号が１−３、６−７および９−１０に対応するリソースブロックが、図７に示される分散型リソースブロックの識別番号が３から９の分散型リソースブロックに置き換えられる。
【００５６】
１つの基地局で複数の指向性アンテナでセルが構成される場合、すなわち、同一基地局にカバーされるエリアが複数に分割されセクタ（セル）が構成される場合には、各セクタ（セル）毎に、図７を参照して説明したＤｉｓｔｒｉｂｕｔｅｄ型送信を行うリソースブロックの分割パタンを異なるようにするようにしてもよい。このようにすることにより、他セル干渉がランダム化されるため、移動局における受信品質を向上させることができる。
【００５７】
次に、制御情報生成部１０６により作成される制御情報について、図１０Ａを参照して説明する。
【００５８】
本実施例では、制御情報は、Ｌｏｃａｌｉｚｅｄ型送信を行う移動局に対する制御情報と、Ｄｉｓｔｒｉｂｕｔｅｄ型送信を行う移動局に対する制御情報とで異なる。
【００５９】
Ｌｏｃａｌｉｚｅｄ型送信を行う移動局に対する制御情報は、図１０Ａに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプおよび各リソースブロックに対する割り当て情報の各フィールドにより構成される。
【００６０】
各リソースブロックに対する割り当て情報には、リソースブロックの識別番号に対応する複数のサブフィールドが用意され、各サブフィールドには割り当ての有無を示す情報が付与される。例えば、割り当てられている場合には１、割り当てられていない場合には０が付与される。
【００６１】
Ｄｉｓｔｒｉｂｕｔｅｄ型送信を行う移動局に対する制御情報は、図１０Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプおよび分割リソースブロックに対する割り当て情報の各フィールドにより構成される。
【００６２】
各分割リソースブロックに対する割り当て情報には、ツリー  ベースド  リソース  アロケーション（Ｔｒｅｅ  ｂａｓｅｄ  ａｌｌｏｃａｔｉｏｎ  ｉｎｆｏｒｍａｔｉｏｎ）を適用して求められる情報が付与される（例えば、非特許文献２参照）。
【００６３】
Ｔｒｅｅ  ｂａｓｅｄ  ａｌｌｏｃａｔｉｏｎ  ｉｎｆｏｒｍａｔｉｏｎを適用した場合、図１１に示すｔｒｅｅ図を用いて、割り当て番号の始点の番号、終点の番号から延長した直線上で交差する点の番号を通知する（図の例では、割り当て番号の始点が０、割り当て番号の終点が２であるので“１２”になる）。すなわち、割り当て番号の始点を示す識別番号と、終点の識別番号から予め指定される識別番号が指定される。
【００６４】
Ｔｒｅｅを表すのに必要な番号の数は、分割リソースブロックの数に依存する。具体的には、Ｎ個の分割リソースブロック表すのに必要な番号の数は、Ｎ×（Ｎ＋１）／２の式で表される。
【００６５】
よって、Ｔｒｅｅ  ｂａｓｅｄ  ａｌｌｏｃａｔｉｏｎ  ｉｎｆｏｒｍａｔｉｏｎを用いて、割り当て情報を通知するのに必要なビット数は、ｌｏｇ２（Ｎ×（Ｎ＋１）／２となる。
【００６６】
このようなＴｒｅｅ  ｂａｓｅｄ  ａｌｌｃａｔｉｏｎ  ｉｎｆｏｒｍａｔｉｏｎを用いることにより、Ｄｉｓｔｒｉｂｕｔｅｄ型送信を行う分散型リソースブロックに付与された通し番号の何番から何番までに連続して割り当てられたかを示すために送信する割り当て情報の情報量を減少させることができる。
【００６７】
このように、Ｔｒｅｅ  ｂａｓｅｄ  ａｌｌｏｃａｔｉｏｎ  ｉｎｆｏｒｍａｔｉｏｎにより割り当てを行うことで、割り当て情報のみ、すなわち割り当て番号の始点を示す識別番号と、終点の識別番号から予め指定される識別番号を通知すれば、移動局は割り当て位置を特定することが可能となる。
【００６８】
本実施例によれば、分散型リソースブロックの生成パタンを固定できるため、Ｄｉｓｔｒｉｂｕｔｅｄ型送信を行う分散型リソースブロックの数によらず、Ｄｉｓｔｒｉｂｕｔｅｄ型送信を行う分散型リソースブロックの数を通知する必要がない。すなわち、分散型リソースブロックに対する割り当て情報を通知することにより、分散型リソースブロックの割り当て単位数が一意に決定されるため、Ｌｏｃａｌｉｚｅｄ型送信またはＤｉｓｔｒｉｂｕｔｅｄ型送信を行うかを示す伝送タイプの１ビットのみ通知するたけでよい。すなわち、図８に示すように分散型リソースブロックに対する割り当て情報により、分散型リソースブロックの割り当て単位が一意に決定される。
【００６９】
また、同一の移動局に、複数の分散型リソースブロックを割り当てる場合に、連続した識別番号を有する分散型リソースブロックを割り当てる場合には、Ｔｒｅｅ  ｂａｓｅを用いた分割リソースブロックの割り当ての通知が可能となり、シグナリングビットを削減することができる。
【００７０】
次に、本発明の他の実施例にかかる送信装置について説明する。
【００７１】
本実施例にかかる送信装置１００の構成は上述した実施例と同様であるため、その説明を省略する。
【００７２】
本実施例にかかる送信装置１００では、１リソースブロックよりも少ない無線リソースしか必要としないトラヒック、すなわちデータサイズが小さなトラヒックを効率的に伝送するために、もとのリソースブロックよりも小さなサイズとなるように分散型リソースブロックを割り当てる。すなわち、１ユーザに割り当てられる分散型リソースブロックの合計帯域幅は、１リソースブロックよりも狭くなる。
【００７３】
また、低モビリティのユーザに対しても、データサイズの小さいトラヒックに関しては、この分散型リソースブロックを割り当てるようにしてもよい。
【００７４】
周波数スケジューリング部１０４は、図１２に示すように、Ｌｏｃａｌｉｚｅｄ型送信を行うデータとＤｉｓｔｒｉｂｕｔｅｄ型送信を行うデータとを割り当てる。
【００７５】
本実施例にかかる送信装置１００では、Ｄｉｓｔｒｉｂｕｔｅｄ型送信を行う分散型リソースブロックに置き換えるリソースブロックの数をＮＲＢ＿Ｒｅｐとした場合（ＮＲＢ＿Ｒｅｐは、ＮＲＢ＿Ｒｅｐ＞１の整数）、そのリソースブロックの位置は、ＮＲＢ＿Ｒｅｐに応じて予め決定される。
【００７６】
また、ＮＲＢ＿Ｒｅｐと、そのリソースブロック内に生成される分割リソースブロック数（ＮＤＲＢ）は（ＮＤＲＢは、ＮＤＲＢ＞１の整数）、独立に予め決定される。また、分散型リソースブロックの識別番号は、分割リソースブロック数（ＮＤＲＢ）に基づいて予め決定される。
【００７７】
図１２に示すように、Ｄｉｓｔｒｉｂｕｔｅｄ型送信を行う分散型リソースブロックに置き換えられるリソースブロックは、各々ＮＤＲＢ個の分散型リソースブロックに分割され、その分散型リソースブロックは、各Ｄｉｓｔｒｉｂｕｔｅｄ型送信を行うリソースブロックから１ユニットずつ抽出され、これらをまとめて１つのＤｉｓｔｒｉｂｕｔｅｄ型送信を行うユーザに対して割り当てられる。このＮＲＢ＿Ｒｅｐ個のリソースブロックから生成されるＮＤＲＢ個の分散型リソースブロックを、各ユーザに対する割り当て単位とする。
【００７８】
また、ＮＲＢ＿ＲｅｐよりもＮＤＲＢを大きくすることにより、生成される分散型リソースブロックの割り当て単位の合計サイズを１リソースブロックのサイズよりも小さくすることができる。このため、１リソースブロックよりも少ない無線リソースしか必要としないトラヒック、すなわちデータサイズが小さなトラヒックを効率的に伝送することができる。
【００７９】
次に、制御情報生成部１０６により作成される制御情報について説明する。
【００８０】
本実施例では、制御情報は、Ｌｏｃａｌｉｚｅｄ型送信を行う移動局に対する制御情報と、Ｄｉｓｔｒｉｂｕｔｅｄ型送信を行う移動局に対する制御情報とで異なる。
【００８１】
Ｌｏｃａｌｉｚｅｄ型送信を行う移動局に対する制御情報は、図１３Ａに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプおよび各リソースブロックに対する割り当て情報の各フィールドにより構成される。
【００８２】
各リソースブロックに対する割り当て情報には、リソースブロックの識別番号に対応する複数のサブフィールドが用意され、各サブフィールドには、割り当ての有無を示す情報が付与される。例えば、割り当てられている場合には１、割り当てられていない場合には０が付与される。
【００８３】
Ｄｉｓｔｒｉｂｕｔｅｄ型送信を行う移動局に対する制御情報は、図１３Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、分散型リソースブロックに置き換えるリソースブロックの数ＮＲＢ＿Ｒｅｐ、リソースブロック内に生成される分割リソースブロック数ＮＤＲＢ、および各分散型リソースブロックに対する割り当て情報フィールドにより構成される。
【００８４】
各分散型リソースブロックに対する割り当て情報には、上述したようにＴｒｅｅ  ｂａｓｅｄ  ａｌｌｏｃａｔｉｏｎ  ｉｎｆｏｒｍａｔｉｏｎを適用して求められる情報が付与される。
【００８５】
本実施例によれば、予め決定された分散型リソースブロックとして使用されるリソースブロックの数およびそのリソースブロック内に生成される分散型リソースブロック数に応じて、ユーザに割り当てる分散型リソースブロックを決定することができる。また、Ｄｉｓｔｒｉｂｕｔｅｄ型送信を行う分散型リソースブロックに置き換えるリソースブロックの数ＮＲＢ＿Ｒｅｐよりもリソースブロック内に生成される分割リソースブロック数ＮＤＲＢを大きくすることにより、生成される分散型リソースブロックの割り当て単位の合計サイズを１リソースブロックのサイズよりも小さくすることができる。
【産業上の利用可能性】
【００８６】
本発明にかかる送信装置は、無線通信システムに適用できる。
【図面の簡単な説明】
【００８７】
【図１Ａ】Ｌｏｃａｌｉｚｅｄ型送信を示す説明図である。
【図１Ｂ】Ｄｉｓｔｒｉｂｕｔｅｄ型送信を示す説明図である。
【図２Ａ】周波数スケジューリングの一例を示す説明図である。
【図２Ｂ】シグナリングフォーマットの一例を示す説明図である。
【図３Ａ】周波数スケジューリングの一例を示す説明図である。
【図３Ｂ】シグナリングフォーマットの一例を示す説明図である。
【図４】本発明の一実施例にかかる送信装置を示す部分ブロック図である。
【図５】本発明の一実施例にかかる送信装置における周波数スケジューリングを示す説明図である。
【図６Ａ】本発明の一実施例にかかる送信装置における周波数スケジューリングを示す説明図である。
【図６Ｂ】本発明の一実施例にかかる送信装置における周波数スケジューリングを示す説明図である。
【図７】Ｄｉｓｔｒｉｂｕｔｅｄ型送信を行うリソースブロックの分割パタンを示す説明図である。
【図８】分割リソースブロックの割り当て単位と、分割リソースブロックに置き換える分割リソースブロックの識別番号との対応の一例を示す説明図である。
【図９】本発明の一実施例にかかる送信装置における周波数スケジューリングの一例を示す説明図である。
【図１０Ａ】本発明の一実施例にかかる送信装置におけるＬｏｃａｌｉｚｅｄ型送信を行うユーザに対するシグナリングのフォーマットの一例を示す説明図である。
【図１０Ｂ】本発明の一実施例にかかる送信装置におけるＤｉｓｔｒｉｂｕｔｅｄ型送信を行うユーザに対するシグナリングのフォーマットの一例を示す説明図である。
【図１１】Ｔｒｅｅ  Ｂａｓｅｄ  Ｒｅｓｏｕｒｃｅ  Ａｌｌｏｃａｔｉｏｎを示す説明図である。
【図１２】本発明の一実施例にかかる送信装置における周波数スケジューリングの一例を示す説明図である。
【図１３Ａ】本発明の一実施例にかかる送信装置におけるＬｏｃａｌｉｚｅｄ型送信を行うユーザに対するシグナリングのフォーマットの一例を示す説明図である。
【図１３Ｂ】本発明の一実施例にかかる送信装置におけるＤｉｓｔｒｉｂｕｔｅｄ型送信を行うユーザに対するシグナリングのフォーマットの一例を示す説明図である。
【符号の説明】
【００８８】
１００  送信装置
１０２  ＲＢ（リソースブロック）割り当て比率の切り替え部
１０４  周波数スケジューリング部
１０６  制御情報生成部
１０８、１１４  符号化率、データ変調決定部
１１０、１１６  マッピング部
１１２  送信データ生成部
【図１Ａ】
2008053857.tif 000003
【図１Ｂ】
2008053857.tif 000004
【図２Ａ】
2008053857.tif 000005
【図２Ｂ】
2008053857.tif 000006
【図３Ａ】
2008053857.tif 000007
【図３Ｂ】
2008053857.tif 000008
【図４】
2008053857.tif 000009
【図５】
2008053857.tif 000010
【図６Ａ】
2008053857.tif 000011
【図６Ｂ】
2008053857.tif 000012
【図７】
2008053857.tif 000013
【図８】
2008053857.tif 000014
【図９】
2008053857.tif 000015
【図１０Ａ】
2008053857.tif 000016
【図１０Ｂ】
2008053857.tif 000017
【図１１】
2008053857.tif 000018
【図１２】
2008053857.tif 000019
【図１３Ａ】
2008053857.tif 000020
【図１３Ｂ】
2008053857.tif 000021